(57)【要約】      （修正有）【課題】ズボン又はスカート等のベルトに簡単に装着することができ、キー等を掛止したリングをワンタッチで取付け、又は取り外すことができ、しかもキー等を紛失するおそれがないベルト用キーホルダーを提供する。【解決手段】軸部材からなるホルダ本体３がＣ字形のように開口部を有する環状形に形成されると共に、該ホルダ本体が天井部と開口上部と開口下部とベルト保持部９とを備え、ソケット４の下部中心の長尺穴部にスプリングを介してホルダ本体の開口下部が挿着されたことによって、スプリングの弾発力でソケットは常時上方へ付勢され、該ソケットの上部中心に設けられた溝穴が開口上部の下端に係止され、平面状に潰された形状を有するベルト保持部がズボン等に装着したベルトの内側面に当接することによってホルダ本体がベルトの面に対して垂直状に立った状態を保つことができ、さらにソケットの上端外周が外方へ突出した環状突出部を有する。【選択図】図５
0003159011.tif 000002
【実用新案登録請求の範囲】
【請求項１】
軸部材からなるホルダ本体がＣ字形のように開口部を有する環状形に形成されると共に、該ホルダ本体が、上部にて開口部側へやや上り勾配を有する直線状に形成された天井部と、開口部の上部にて直線状に垂下してなる開口上部と、開口部の下部にて直線状に延長されてなる開口下部と、開口部の対向側の背部にて直線状に形成されてなるベルト保持部とを備えてなり、
ホルダ本体の開口部を閉塞する部材として設けられたソケットの下部中心にホルダ本体の開口下部を収納する長尺穴部が形成され、該長尺穴部にスプリングを介してホルダ本体の開口下部が挿着されたことによって、スプリングの弾発力でソケットは常時上方へ付勢されると共に、該ソケットの上部中心に設けられた溝穴がホルダ本体の開口上部の下端に係止された構成を有するキーホルダーにおいて、
ホルダ本体のベルト保持部が平面状に潰された形状を有し、該ベルト保持部がズボン等に装着したベルトの内側面に当接すると共に使用者の身体の腹部で押圧されることによって、ホルダ本体がベルトの面に対して垂直状に立った状態を保つことができ、
さらにソケットの上端外周が外方へ突出した環状突出部を有することによってキーを取付けたリングを該環状突出部に引掛け易くしたことを特徴とするベルト用キーホルダー。
【考案の詳細な説明】
【技術分野】
【０００１】
本考案は、ズボン又はスカート等のベルトに装着すると共に、鍵（以下、「キー」という）等を装着したリングをワンタッチで取り付け、又は取り外すことができるようにしたベルト用キーホルダーに関する。
【背景技術】
【０００２】
外出するときに住宅や車両等のキーを持ち歩く際、キーを単独で持ち歩くと紛失し易いため、１個又は複数のキーをキーホルダーに装着して所持することがなされている。
【０００３】
ところで、このキーホルダーを携行する場合、カバンやズボンのポケット等に入れておくと紛失し易いため、ズボンやスカート等のベルトに装着するようにしたベルト用キーホルダーが開発されている。
【０００４】
ここで、従来のベルト用キーホルダーについて特許文献１を参照すると、この文献に記載されているキーホルダーは、帯状の平板を断面長方形状に折曲形成することにより、正面板と上板と裏板と下板とを有する形状に形成したものである。従って、このキーホルダーをズボン等のベルトに装着するには、ベルト通しからベルトを外した後、ベルトにキーホルダーを差し込んでから再びベルトを装着するという面倒な作業が必要となる。
【０００５】
また、上記の特許文献１のキーホルダーは、このキーホルダーを構成する正面板と下板とに縦状に連続形成されたスロットの上端の挿入部に連結具を挿入して下方へ落とし込むという作業が必要である。また、キーは連結具に取付けたリングに装着してあるため、連結具の微小な先端をキーホルダーの小径の挿入部に挿入するという面倒な作業が必要となる。また、キーを取付けたリングは１個だけが連結具に取付け可能であるため、複数のリングを取付けることが不可能である。
【０００６】
さらに、特許文献２を参照すると、このキーホルダーは、ズボン等のベルトに上方から引掛けることができるＵ字状の挟み板を有するが、ベルトに取付けた挟み板を上方に引上げると、容易にベルトから外れてしまうという欠点がある。また、挟み板の前面にフック片が設けられ、このフック片にワンタッチでキーを取付けたリングを装着することが可能であるが、フック片に引掛けたリングを上方に引上げることによって容易にリングを取り外すことができ、不意にリングが外れる等の原因で、キーを紛失するおそれがある。
【先行技術文献】
【特許文献】
【０００７】
【特許文献１】実開昭６１−１９０２８４号公報
【特許文献２】実用新案登録第３００９７６９号公報
【考案の概要】
【考案が解決しようとする課題】
【０００８】
本考案は、上記の従来技術の欠点を解消すると共に、ズボン又はスカート等のベルトに簡単に装着することができ、キー等を掛止したリングをワンタッチで取付け、又は取り外すことができ、しかもキー等を紛失するおそれがないベルト用キーホルダーを提供することを目的とする。
【課題を解決するための手段】
【０００９】
上記の目的を達成するために、本考案の請求項１のベルト用キーホルダーは、軸部材からなるホルダ本体がＣ字形のように開口部を有する環状形に形成されると共に、該ホルダ本体が、上部にて開口部側へやや上り勾配を有する直線状に形成された天井部と、開口部の上部にて直線状に垂下してなる開口上部と、開口部の下部にて直線状に延長されてなる開口下部と、開口部の対向側の背部にて直線状に形成されてなるベルト保持部とを備えてなり、ホルダ本体の開口部を閉塞する部材として設けられたソケットの下部中心にホルダ本体の開口下部を収納する長尺穴部が形成され、該長尺穴部にスプリングを介してホルダ本体の開口下部が挿着されたことによって、スプリングの弾発力でソケットは常時上方へ付勢されると共に、該ソケットの上部中心に設けられた溝穴がホルダ本体の開口上部の下端に係止された構成を有するキーホルダーにおいて、ホルダ本体のベルト保持部が平面状に潰された形状を有し、該ベルト保持部がズボン等に装着したベルトの内側面に当接すると共に使用者の身体の腹部で押圧されることによって、ホルダ本体がベルトの面に対して垂直状に立った状態を保つことができ、さらにソケットの上端外周が外方へ突出した環状突出部を有することによってキーを取付けたリングを該環状突出部に引掛け易くしたことを特徴とする。
【考案の効果】
【００１０】
本考案のベルト用キーホルダーによれば、ベルト保持部がズボン等に装着したベルトの内側面に当接すると共に使用者の身体の腹部で押圧されることによって、ホルダ本体がベルトの面に対して垂直状に立った状態を保つことができる。また、この状態において、腹部とベルトとで平面状のベルト保持部を互いに押圧した状態で挟み込むため、ベルトに装着したホルダ本体が斜めに傾くことがあっても、ホルダ本体はベルトの面に対して垂直状態に復帰する。
【００１１】
従って、本実施例のベルト用キーホルダーによれば、ホルダ本体を常にベルトの面に対して立った状態にすることができ、この状態で、キーを取付けたリングをソケットの上端部に係止し、押し下げ、開口部を開放しながらリングを内方へ押込むことによってリングを装着する作業をワンタッチで行うことが可能となる。
【００１２】
また、キーを取付けたリングをホルダ本体から取り外す作業においても、リングの端部をホルダ本体の天井部に当てると共に前方へ引くと、天井部の勾配に沿って容易にリングが前方へ移動する。次いで、ソケットの環状突出部を引き下げることによって開口部を開放するという一連の動作によって、リングを取り外す作業をワンタッチで行うことが可能となる。
【００１３】
また、本考案によれば、上記のようにソケットの上端外周に環状突出部が形成されているため、この環状突出部にキーを取付けたリングを引掛け易くなり、リングの装着作業をよりスムーズに行うことが可能となる。
【００１４】
また、ホルダ本体の開口部を開閉自在に閉塞するソケットは、スプリングによって閉塞方向へ常に付勢されているため、キーを取付けたリングがホルダ本体から外れることもなく、キーの紛失を防止することが可能となる。
【図面の簡単な説明】
【００１５】
【図１】(ａ)は本考案による実施例のベルト用キーホルダーの分解構成図であり、（ｂ）はホルダ本体の背面図であり、（ｃ）はソケットの上面図と正面図と下面図であり、（ｄ）はソケットの縦断面図である。
【図２】(ａ)、（ｂ）は本考案による実施例のベルト用キーホルダーをベルトに装着した状態を示す縦断面図であり、（ｃ）はその状態の上面図である。
【図３】(ａ)〜(ｅ)は、本考案による実施例のベルト用キーホルダーに、キーを取付けたリングを装着する手順を示す縦断面である。
【図４】(ａ)〜(ｅ)は、本考案による実施例のベルト用キーホルダーからキーを取付けたリングを取り外す手順を示す縦断面である。
【図５】本考案による実施例のベルト用キーホルダーをズボン等に装着したベルトに取付けた状態を示す斜視図である。
【考案を実施するための形態】
【００１６】
以下、本考案の実施例について図面を参照しながら説明する。
【実施例】
【００１７】
本考案による実施例のベルト用キーホルダー１は、図１(ａ)に示すように、金属線材又は合成樹脂線材等の軸部材をＣ字形のように開口部２を有する環状形に形成してなるホルダ本体３と、開口部２を開閉可能に閉塞するソケット４と、開口部２を開閉するためにソケット４を上下動するように設けられたスプリング５とから成るものである。
【００１８】
上記のベルト用キーホルダー１について詳細に述べると、図１(ａ)に示すように、ホルダ本体３は、上部にて開口部２側へやや上り勾配を有する直線状に形成された天井部６と、開口部２の上部にて直線状に垂下してなる開口上部７と、開口部２の下部にて直線状に延長されてなる開口下部８と、開口部２の対向側の背部にて直線状に形成されてなるベルト保持部９とを備えた構成とされている。
【００１９】
上記の構成において、ホルダ本体３のベルト保持部９は、図１（ａ）又は（ｂ）に示すように平面状に潰された形状を有する。このようにベルト保持部９を平面状に潰した形状とするには、ホルダ本体３を金属線材により形成した場合、ベルト保持部９をプレス機によって押圧することにより形成することができる。また、ホルダ本体３を合成樹脂材により形成した場合、その成型加工の際の金型形状等によってベルト保持部９を平面状に潰した形状とすることが可能である。
【００２０】
なお、上記のように平面状に形成されたベルト保持部９は、図２（ａ）〜(ｃ)に示すように、ズボン１０等に装着したベルト１１の内側面を当接させるものであり、ベルト保持部９の長さは一般的なベルト１１の幅よりもやや大きくするのが好ましい。
【００２１】
さらに、本実施例のキーホルダー１においては、図１（ａ）、（ｃ）、（ｄ）又は図２(ａ)、（ｂ）に示すように、ホルダ本体３の開口部２を開閉可能に閉塞する部材としてソケット４が設けられている。このソケット４は略円柱形に形成され、その下端部外周はテーパ形状１７に形成されている。また、ソケット４の上端外周が外方へ突出した環状突出部１８を有する構成とされている。このため、図３（ａ）又は図４(ｂ)に示すように、ソケット４の環状突出部１８にキー１３を取付けるリング１４が引掛かり易くなり、後述するように、ソケット４を下方へ移動することによって開口部２を開放状態にする動作を確実に行うことが可能となる。
【００２２】
また、図１（ａ）、（ｃ）、(ｄ)に示すように、ソケット４の下部中心にはホルダ本体３の開口下部８を上下動自在に収納する長尺穴部１５が形成され、図２（ａ）、（ｂ）に示すように、長尺穴部１５にスプリング５を介してホルダ本体３の開口下部８が挿着されている。このため、スプリング５の弾発力でソケット４は常時上方へ付勢され、ソケット４の上部中心に設けられた溝穴１６がホルダ本体３の開口上部７の下端に係止されることにより、開口部２が閉塞された状態となる。
【００２３】
なお、上記のソケット４の溝穴１６は上方へ向けて湾曲状に口を広げる形状とされ、この溝穴１６にホルダ本体３の開口上部７の下端を確実に挿着し得るようにしている。
【００２４】
なお、上記のように、ソケット４をホルダ本体３の開口上部７と開口下部８との間に挿着するには、例えば開口下部８をやや前方に引き倒した状態にし、ソケットの長尺穴部１５にスプリング５を収納した後に開口下部８を挿入する。次いで、ソケット４をスプリング５の弾性力に抗して引き下げた状態にし、開口下部７の下方へ押し曲げ、ソケット４を上方へ付勢することによって、ソケット４の溝穴１６を開口上部７に挿着した構成とする。
【００２５】
本実施例のキーホルダー１は、上記のように構成されているため、図２(ｂ)に示すように、ソケット４をスプリング５の弾性力に抗して下方へ移動することにより、開口部２を開放した状態にすることができる。従って、本実施例のベルト用キーホルダー１をベルト１１等に取付けるには、ソケット４を引き下げることによって開放した開口部２からベルト１１を装着することが可能となる。このため、ベルト通し１２（図５参照）からベルト１１を外すことなく、キーホルダー１をベルト１１の任意位置に取付けることが可能である。
【００２６】
また、図２（ｃ）に示すように、ホルダ本体３のベルト保持部９がズボン１０等に装着したベルト１１の内側面に当接すると共に、ベルト１１を装着した使用者の腹部１９が平面状のベルト保持部９を外側に圧迫するため、腹部１９とベルト１１とで平面状のベルト保持部９を互いに押圧した状態で挟みこむこととなる。このため、ベルト１１に装着したホルダ本体３が斜めに傾くようなことがあっても、平面状のベルト保持部９を挟持した腹部１９とベルト１１との押圧力によってホルダ本体３はベルト１１の面に対して垂直状に復帰する。
【００２７】
従って、本実施例のベルト用キーホルダー１によれば、後述するように、キー１３を取付けたリング１４をベルト１１に対して常に垂直に立った状態にしたホルダ本体３に対して装着することが可能となる。なお、仮に、ホルダ本体３のベルト保持部９が平面状ではなく、断面円形に形成されている場合、ベルト１１に装着したホルダ本体３が容易に倒れ込み、しかもベルト１１の面に対して垂直状態となるように復帰することが不可能である。このように、ホルダ本体３が倒れた状態では、キー１３を取付けたリング１４をワンタッチでホルダ本体３の開口部２に装着することは不可能である。
【００２８】
本実施例において、上記のように構成されたベルト用キーホルダー１をズボン１０のベルト１１等に装着するには、図２(ｂ)に示すように、ソケット４を指先で摘むことによって直線状の開口下部８に沿って下方へ移動することにより、開口部２を開放した状態にし、この開口部２からベルト１１に装着することができる。
【００２９】
また、ソケット４を手放すと、スプリング５の弾性力によってソケット４を上方へ復帰し、ソケット４の溝穴１６が開口上部７に当接されることにより、開口部２を閉塞状態に保つことができる。さらに、この状態で、ホルダ本体３のベルト保持部９がズボン１０等のベルト１１と腹部１９とで互いに押圧した状態に挟み込むことによって、ホルダ本体３をベルト１１の面に対して垂直状態に保持することが可能となる。
【００３０】
この状態でキー１３をキーホルダー１に取付けるには、図３（ａ）に示すように、キー１３をリング１４に装着した状態にし、このリング１４を指先で摘んで、リング１４の端部をホルダ本体３の開口上部７の側部に当てると共にソケット４の上端の環状突出部１８に引掛けた状態にして引き下げると、図２(ｂ)に示すように、ソケット４がスプリング５の弾性力に抗して下方に移動することにより開口部２が開放される。
【００３１】
その状態で、図３(ｃ)に示すように、リング１４を開口部２の内方へ押込むと、リング１４は、図３(ｄ)に示すように、ホルダ本体３の内部に入って下方へ移動する。この間に、ソケット４は上方へ復帰し、開口部２を閉塞する一方、図３(ｅ)に示すように、リング１４がホルダ本体３の下端部に引っ掛かった状態でキー１３を保持することが可能となる。
【００３２】
なお、図５に示すように、本考案によるベルト用キーホルダー１のホルダ本体３に取付けることができるものは、キー１３のほかにリング１４に取付けることができるラベル等も可能である。また、図５のベルト用キーホルダー１には１個のリングを取り付けてあるが、２個以上のリングを取付けることも可能である。
【００３３】
なお、このような動作は、上記のようにリング１４の端部をホルダ本体３の開口上部７の側部に当て、ソケット４の環状突出部１８を引き下げると共に内方へ押込む一連の動作によって瞬時に行うことが可能である。
【００３４】
また、キー１３を取付けたリング１４をキーホルダー１から取り外すには、先ず、図４（ａ）に示すように、キー１３を取付けたリング１４を指先で摘んで上方に持ち上げると、リング１４の端部はホルダ本体３の天井部６に当り、そのまま上方へ引上げながら前方へ引くと、天井部６の勾配に沿って容易にリング１４が前方へ移動する。このとき、図４(ｂ)に示すように、リング１４はソケット４の上端の環状突出部１８に当る。
【００３５】
この状態でリング１４を引き下げると、図４（ｃ）に示すように、ソケット４がスプリング５の弾性力に抗して直線状の開口下部８に沿って下方へ移動して、開口部２が開放される。この状態で、図４(ｃ)に示すように、リング１４を開口部２の外方へ引き出すと、リング１４は、図４(ｄ)に示すようにホルダ本体３の外方へ移動する。次いで、図４(ｅ)に示すように、ホルダ本体３のスプリング５によって、ソケット４は上方へ復帰し、開口部２を閉塞する。
【００３６】
なお、このようなリング１４の取り外し動作においても、上記のようにリング１４の端部をホルダ本体３の天井部６に当てると共に前方へ引き、ソケット４の環状突出部１８を引き下げる一連の動作によって瞬時に行うことが可能である。
【産業上の利用可能性】
【００３７】
本考案のベルト用キーホルダーは、ズボン又はスカート等のベルトに簡単に装着することができ、キー等を掛止したリングをワンタッチで取付け、又は取り外すことができ、しかもキー等を紛失するおそれがないベルト用キーホルダーとして利用することが可能である。
【符号の説明】
【００３８】
１  ベルト用キーホルダー
２  開口部
３  ホルダ本体
４  ソケット
５  スプリング
６  天井部
７  開口上部
８  開口下部
９  ベルト保持部
１０  ズボン
１１  ベルト
１２  ベルト通し
１３  キー
１４  リング
１５  長尺穴部
１６  溝穴
１７  テーパ形状
１８  環状突出部
１９  腹部
【図１】
0003159011.tif 000003
【図２】
0003159011.tif 000004
【図３】
0003159011.tif 000005
【図４】
0003159011.tif 000006
【図５】
0003159011.tif 000007
【手続補正書】
【提出日】平成22年2月23日(2010.2.23)
【手続補正１】
【補正対象書類名】実用新案登録請求の範囲
【補正対象項目名】請求項１
【補正方法】変更
【補正の内容】
【請求項１】
軸部材からなるホルダ本体がＣ字形のように開口部を有する環状形に形成されると共に、該ホルダ本体が、上部にて開口部側へやや上り勾配を有する直線状に形成された天井部と、開口部の上部にて直線状に垂下してなる開口上部と、開口部の下部にて直線状に延長されてなる開口下部と、開口部の対向側の背部にて直線状に形成されてなるベルト保持部とを備えてなり、ホルダ本体の開口部を閉塞する部材として設けられたソケットの下部中心にホルダ本体の開口下部を収納する長尺穴部が形成され、該長尺穴部にスプリングを介してホルダ本体の開口下部が挿着されたことによって、スプリングの弾発力でソケットは常時上方へ付勢されると共に、該ソケットの上部中心に設けられた溝穴がホルダ本体の開口上部の下端に係止された構成を有するキーホルダーにおいて、ホルダ本体のベルト保持部が平面状に潰された形状を有し、該ベルト保持部がズボン又はスカートに装着したベルトの内側面に当接すると共に使用者の身体の腹部で押圧されることによって、ホルダ本体がベルトの面に対して垂直状に立った状態を保つことができ、さらにソケットの上端外周が外方へ突出した環状突出部を有することによってキーを取付けたリングを該環状突出部に引掛け易くしたことを特徴とするベルト用キーホルダー。